(57)【特許請求の範囲】
【請求項１】
耕起した土壌を火炎によって雑草を焼却し、害虫、雑菌の消毒処理する焼土機であって、先端に、ラインプレート（２）と耕土刃（３）を有し、後端にハンドル（４）を有する装置本体（１）を設け、該本体の中間部付近には車輪（５）を設け、車輪の両側には、着脱自在のホイールガードプレート（６）をそれぞれ設け、前記耕土刃（３）の両側には、必要に応じて、ファイアーガードプレート（７）をそれぞれ設けると共に、バーナー（８）を臨ませて設け、該バーナーの燃料を入れたタンク（９）を設けたことを特徴とする耕起焼土機。
【発明の詳細な説明】
【０００１】
【発明の属する技術分野】
この発明は、耕起焼土機に関するものであり、作物畑における雑草、害虫、雑菌の処理装置にであり、特に、農薬を使用することのない，即ち、無農薬による処理を施す装置に関する。
【０００２】
【従来の技術】
畑における農作物は、雑草、害虫、そして雑菌に対する手入れ等の対策を疎かにしては収穫は望めないものであった。
【０００３】
そこで、これらを比較的楽に処理するため、殺虫や殺菌には農薬が使用されており、また、土壌の消毒にはバスアミド剤等の化学剤が用いられている。
【０００４】
【発明が解決しようとする課題】
しかしながら、この農薬や化学剤の使用は、この使用された畑の作物を食する人間の健康にも悪影響を与えるばかりでなく、土壌にも悪影響を与えるものであり、これらを根本的に考え直して、地球や人体に無害・安全な雑草、害虫、そして雑菌に対する手入れ等の対策ができる処理装置を開発する必要がある。
【０００５】
【課題を解決するための手段】
本発明は、作物畑における雑草、害虫、雑菌に対する手入れを、無害な火力を用いて処理し、しかも、安全な処理を施すことのできる耕起焼土機を開発することにある。
【０００６】
【発明の実施の形態】
そこで、この発明の一実施例を図面に基づいて説明すると、耕起した土壌を火炎によって雑草を焼却し、害虫、雑菌の消毒処理する焼土機であって、先端に、ラインプレート（２）と耕土刃（３）を有し、後端にハンドル（４）を有する装置本体（１）を設け、該本体の中間部付近には車輪（５）を設け、車輪の両側には、着脱自在のホイールガードプレート（６）をそれぞれ設け、前記耕土刃（３）の両側には、必要に応じて、ファイアーガードプレート（７）をそれぞれ設けると共に、バーナー（８）を臨ませて設け、該バーナーの燃料を入れたタンク（９）を設けたことを特徴とする耕起焼土機から構成されるものである。
尚、ホイールガードプレート（６）の目的は、ラインプレート（２）より表示された畑（Ｘ）の蒔き筋（Ｙ）から条間にはみ出ている葉を車輪（５）に巻き込むことを防止することと、まき筋とまき筋の中間を正しく進行して行くための目安に使用するものである。
【０００７】
尚、バーナー（８）は、既存の市販されているものでよく、灯油を気化しガス化して燃焼させるものであり、また、ラインプレート（２）は、土均し板（２ａ）と、該板（２ａ）の両端と中央部にそれぞれ筋付け板（２ｂ）を設けることにより、畑に、筋付け板（２ｂ）により、中心線と幅員線とを設ける。即ち、作付けする箇所及び蒔き筋（Ｙ）とを形成・表示すると共に、土均し板（２ａ）で整地して耕作者の足跡、車輪跡、耕土刃跡を消すものであり、畑の土が動き、バーナーの炎に多く当たることにより焼土効果が増すものである。
【０００８】
次に、この発明の使用方法を説明すると、先ず、畑（Ｘ）を整地後に、装置本体（１）に、ラインプレート（２）を装着し、畑（Ｘ）の蒔き筋（Ｙ）の上を耕起すると共に、バーナー（８）を点火して焼土し、その後、播種する工程と、芽がでた後には、再度、条間（Ｚ）に、ファイヤーガードプレート（７）を装着して中耕、焼土するものであり、作物畑の雑草、害虫、雑菌の処理を行うものである。
【０００９】
即ち、害虫の多くは、土の中で越冬、越夏を蛹や幼虫で過ごすため、これらを駆除するため、第一回目は、土を耕土刃（２）を耕起し、焼土することにより一掃するものであり、第二回目は、飛来した害虫、例えば、葉モグバエなどをバーナーの炎で殺虫し、土壌表層を殺菌し、さらに、土を耕土刃（２）耕起することにより、土壌の通気性をよくするものである。
【００１０】
また、この作物畑における雑草、害虫、雑菌の耕起焼土機は、牽引して作業を行うものであるが、この装置を用いて作業する速度は、歩行速度によって畑１アール当たり３０分〜１時間くらいが適当である。また、バーナー（８）を装着しないで、中耕しても効率よく、草削り用鍬よりも数倍の速さで作業することもできる。尚、牽引力は８ｋｇくらいである。
【００１１】
次に、この発明の他の実施例を図面に従って説明すると、先端、あるいは後端に、動力で駆動する耕土刃（３′）を有する自走車両本体（１′）を設け、車輪の両側には、着脱自在のホイールガードプレート（６）をそれぞれ設け、前記耕土刃（３′）の両側には、必要に応じて、ファイアーガードプレート（７）をそれぞれ設けると共に、一または複数のバーナー（８′）を臨ませて設け、該バーナーの燃料を入れたプロパンガスボンベ（９′）を設けたことを特徴とする耕起焼土機からなるものである。
【００１２】
尚、自走車両本体（１′）とは、耕運機はもちろん、トラクター等の車輪が駆動源で回転するものをいい、バーナー（８′）は、車幅分に複数に分岐して設けたものでもよい。
【００１３】
【発明の効果】
この発明によると、先端に、ラインプレート（２）と耕土刃（３）を有し、後端にハンドル（４）を有する装置本体（１）を設け、該本体の中間部付近には車輪（５）を設け、車輪の両側には、着脱自在のホイールガードプレート（６）をそれぞれ設け、前記耕土刃（２）の両側には、必要に応じてファイアーガードプレート（７）をそれぞれ設けると共に、バーナー（８）を臨ませて設け、該バーナーの燃料を入れたタンク（９）を設けた耕耘焼土機から構成されるものであり、ラインプレート（２）により畑（Ｘ）の蒔き筋（Ｙ）を表示し、そのライン上に播種すればよく、バーナー（８）の吐き出しの両端には、ファイヤーガードプレート（７）を装着するため、作物の苗を炎から保護すると共に、条間の土壌をしっかりと焼き、条間の雑草、害虫、そして雑菌を焼却することができるものである。
【００１４】
そして、この発明の他の実施例によると、先端、あるいは後端に、動力で駆動する耕土刃（３′）を有する自走車両本体（１′）を設け、車輪の両側には、着脱自在のホイールガードプレート（６）をそれぞれ設け、前記耕土刃（３′）の両側には、必要に応じて、ファイアーガードプレート（７）をそれぞれ設けると共に、一または複数のバーナー（８′）を臨ませて設け、該バーナーの燃料を入れたプロパンガスボンベ（９′）を設けた耕起焼土機からなるため、耕起作業も、自走車両本体（１′）で行うため、作業が楽であり、また、バーナー（８′）を複数個列設して除草等ができるため、省力的に行え、また、プロパンガスボンベ等の他のバーナー燃料でも可能となる等顕著な効果を有する。
【００１５】
また、畑（Ｘ）を整地後に、ラインプレート（２）を装着し、畑（Ｘ）に表示された蒔き筋（Ｙ）の上を耕起すると共に、中耕、焼土することにより、地中の蛹や幼虫を一掃でき、さらに、その後、播種する工程と、芽がでた後に、条間（Ｚ）に、ファイヤーガードプレート（７）を装着して中耕、焼土することにより、条間（Ｚ）に飛来した害虫をバーナー（８）の炎で焼き殺すことにより、害虫の産卵による収穫時の影響は皆無であり、ファイヤーガードプレート（７）を装着することにより、作物の苗を炎から保護する等極めて有益なる効果を奏するものである。
【図面の簡単な説明】
【図１】この発明の一実施例を示す説明図である。
【図２】この発明に使用する装置の一実施例を示す側面図である。
【図３】この発明に使用する装置の一実施例を示す平面図である。
【図４】この発明に使用する装置の他の一実施例を示す側面図である。
【図５】この発明に使用する装置の他の一実施例を示す背面図である。
【符号の説明】
１  装置本体
１′自走車両本体
２  ラインプレート
２ａ  土均し板
２ｂ  筋付け板
３  耕土刃
３′耕土刃
４  ハンドル
５  車輪
６  ホイールガードプレート
７  ファイアーガードプレート
８  バーナー
８′  バーナー
９  タンク
９′ガスボンベ
Ｘ  畑
Ｙ  蒔き筋
Ｚ  条間
【図１】
0003588695.tif 000002
【図２】
0003588695.tif 000003
【図３】
0003588695.tif 000004
【図４】
0003588695.tif 000005
【図５】
0003588695.tif 000006